(57)【特許請求の範囲】
【請求項１】
電子モジュールと、前記電子モジュールにスライドして設けられる少なくとも一つの絶縁ペースト体と、前記電子モジュールの一側に設けられる電子モジュール金属導体セットと、前記電子モジュール金属導体セットは、第一金属導体セットと、前記第一金属導体セットの一側に配置された第二金属導体セットと、前記第二金属導体セットから見て前記第一金属導体セットの位置とは逆側に配置された第三金属導体セットと、前記第三金属導体セットから見て前記第二金属導体セットの位置とは逆側に配置された第四金属導体セットと、からなり、
前記絶縁ペースト体には、絶縁ペースト金属導体セットが設けられ、前記絶縁ペースト金属導体セットは、前記第一金属導体セットと一緒に作動する第五金属導体セットと、前記第五金属導体セットの一側に設けられるとともに前記第二金属導体セットと一緒に作動する第六金属導体セットと、前記第六金属導体セットから見て前記第五金属導体セットの位置とは逆側に配置されるとともに第三金属導体セットと一緒に作動する第七金属導体セットと、前記第七金属導体セットから見て前記第六金属導体セットの位置とは逆側に配置されるとともに前記第四金属導体セットと一緒に作動する第八金属導体セットと、からなり、前記絶縁ペースト体の一側には、複数の接触金属導体を有するメモリーカードを挿入するための収容溝が設けられる携帯式電子機器において、
前記メモリーカードを前記収容溝内に差し込むと、該メモリーカードの各接触金属導体が、前記第七金属導体セットと前記第八金属導体セットにそれぞれ接触し、前記メモリーカードの前記収容溝内への押し込み力に連動して、前記絶縁ペースト体が前記電子モジュールの一側へスライド移動し、前記第五金属導体セットと前記第六金属導体セットと前記第七金属導体セットと前記第八金属導体セットを、前記第一金属導体セットと前記第二金属導体セットと前記第三金属導体セットと前記第四金属導体セットにそれぞれ当接せしめて導通するように構成したことを特徴とする携帯式電子機器。
【請求項２】
ＵＳＢメスコネクターに前記絶縁ペースト体を差し込むと、該ＵＳＢメスコネクターとの間で電気が導通することを特徴とする請求項１に記載の携帯式電子機器。
【発明の詳細な説明】
【技術分野】
【０００１】
本発明は携帯式電子機器に関し、特に製造過程がシンプルで製造を素早く行うことができるとともに、高い耐用性を備えている携帯式電子機器に関する。
【背景技術】
【０００２】
現在、ユーザーの手助けになる各種の様々な電子機器が登場している。この電子機器には、ディスプレイ、パソコン、カメラ、プラグアンドプレイ機器（ＵＳＢメモリ）等、多岐に渡る。しかしながら、前記電子機器のデータを読み取ったりデータのやりとりを行ったりするためには、対応するコネクターが必要になる。現在最もよく見られ最も普及しているコネクターは、ＵＳＢコネクターである。しかしながら、前記電子機器内のメモリカードは、ＵＳＢコネクターに直接接続することができないため、メモリカードリーダーを介することで、ＵＳＢコネクターとデータのやりとりを行う必要がある。そして、一般的なリーダーには、ＵＳＢ接続ポート及びメモリカード接続ポートが設けられており、メモリカードがリーダーの一端から差し込まれた後、他端のＵＳＢ接続ポートをＵＳＢコネクターに接続させる。しかしながら、この種類のリーダーは、しばらく使用していないと、ＵＳＢ接続ポートの接触端が酸化しやすい。さらには、その全製造工程はいずれも溶接で行われているため、非常に製造コストがかかると同時に時間もかかり、さらには、リーダーに不良が生じやすいという懸念もある。また、使用者が、携帯してポケットの中に入れた時に、ＵＳＢ接続ポートの部分がポケット内の糸にひっかかって、破損する等の問題も生じやすい。
【発明の概要】
【発明が解決しようとする課題】
【０００３】
本発明は、絶縁ペースト体をスライドさせて電子モジュールに取り付けるスライド技術により、電子モジュールに配置された第一から第四金属導体セットを、絶縁ペースト体に配置された第五から第八金属導体セットに直接接触させて電気を導通させることができるため、溶接を行わずに組み立てるだけで正常な動作を行わせることが可能な携帯式電子機器を提供することを目的とする。
【０００４】
また、本発明は、絶縁ペースト体をスライドさせて電子モジュールに取り付けるスライド技術により、電子モジュールに配置された第一から第四金属導体セットと、絶縁ペースト体に配置された第五から第八金属導体セットの間に摩擦を生じさせることができるため、この摩擦の過程で各金属導体セットの酸化部分がこすれ落ち、正常な導通動作を行わせることができ、保存しておける時間を延ばすことが可能な携帯式電子機器を提供することを目的とする。
【０００５】
また、本発明は、絶縁ペースト体をスライドさせて電子モジュールに取り付けるスライド技術により、使用者が携帯してポケット内に入れた時にポケット内の糸にひっかからない携帯式電子機器を提供することを目的とする。
【０００６】
また、本発明は、絶縁ペースト体をスライドさせて電子モジュールに取り付けるスライド技術により、従来の技術で生じていたはんだ付け不良による製品の不良が起こらないようにすることができる携帯式電子機器を提供することを目的とする。
【課題を解決するための手段】
【０００７】
上述の目的を達成するために、本発明による携帯式電子機器は、主に、電子モジュールと、電子モジュールにスライドして設けられる少なくとも一つの絶縁ペースト体とからなる。前記電子モジュールの一側には、少なくとも一つの電子モジュール金属導体セットが設けられる。電子モジュール金属導体セットは、第一金属導体セットと、第二金属導体セットと、第三金属導体セットと、第四金属導体セットと、からなる。絶縁ペースト体には、上述の各金属導体セットにそれぞれ対応するとともに一緒に作動する絶縁ペースト金属導体セットが設けられる。絶縁ペースト金属導体セットは、第五金属導体セットと、第六金属導体セットと、第七金属導体セットと、第八金属導体セットと、からなる。以上により、絶縁ペースト体を前後にスライド移動させて電子モジュールに取り付けた時、第一から第四金属導体セットと、第五から第八金属導体セットの間に摩擦が生じて導通する。この摩擦の動作により、各金属導体セットに酸化が生じなくなる。また、スライドさせて組み立てる技術により、各金属導体セットは溶接を行うことなく電気を導通させることができる。さらに、同じく、スライド技術により、製品に不良が生じず、使用者が携帯する時にも衣類の糸にひっかかることがない。
【発明の効果】
【０００８】
上述の技術により、従来のリーダーに存在した問題、即ち、長い間使用していないとＵＳＢ接続ポートの接触端に酸化が生じやすいという問題、全製造工程はいずれも溶接で行われているため非常に製造コストがかかると同時に時間もかかるという問題、リーダーに不良が生じやすいという懸念がある問題、使用者が携帯してポケットの中に入れた時にＵＳＢ接続ポートの部分がポケット内の糸にひっかかって破損してしまう問題を解決することができる。
【図面の簡単な説明】
【０００９】
【図１】本発明の実施例１の斜視図である。
【図２】本発明の実施例１の分解図１である。
【図３】本発明の実施例１の分解図２である。
【図４】本発明の実施例１の動作を示した説明図１である。
【図５】本発明の実施例１の動作を示した説明図２である。
【図６】本発明の実施例１の動作を示した説明図３である。
【図７】本発明の実施例２の分解図１である。
【図８】本発明の実施例２の分解図２である。
【図９】本発明の実施例３の分解図１である。
【図１０】本発明の実施例３の分解図２である。
【図１１】本発明の実施例４の斜視図である。
【図１２】本発明の実施例４の分解図である。
【発明を実施するための形態】
【００１０】
（実施例１）
図１から図３を参照する。図１から図３は、本発明の実施例１の斜視図、分解図１及び分解図２である。図から分かるように、本発明の実施例１による携帯式電子機器は、電子モジュール１と、電子モジュール１にスライドして設けられる少なくとも一つの絶縁ペースト体２と、収容ケース３と、からなる。
【００１１】
電子モジュール１の一側には、少なくとも一つの電子モジュール金属導体セット１０が設けられ、電子モジュール金属導体セット１０は、第一金属導体セット１１と、第一金属導体セット１１の一側に配置された第二金属導体セット１２と、第二金属導体セット１２から見て第一金属導体セット１１の位置とは逆側に配置された第三金属導体セット１３と、第三金属導体セット１３から見て第二金属導体セット１２の位置とは逆側に配置された第四金属導体セット１４とからなる。
【００１２】
絶縁ペースト体２には、少なくとも一つの絶縁ペースト金属導体セット２０が設けられ、絶縁ペースト金属導体セット２０は、第一金属導体セット１１と一緒に作動する第五金属導体セット２１と、第五金属導体セット２１の一側に配置されるとともに第二金属導体セット１２と一緒に作動する弾性状の第六金属導体セット２２と、第六金属導体セット２２から見て第五金属導体セット２１の位置とは逆側に配置されるとともに第三金属導体セット１３と一緒に作動する弾性状の第七金属導体セット２３と、第七金属導体セット２３から見て第六金属導体セット２２の位置とは逆側に配置されるとともに第四金属導体セット１４と一緒に作動する弾性状の第八金属導体セット２４と、からなる。また、絶縁ペースト体２の一側には、メモリカードを挿入するための収容溝２５が設けられ、第五金属導体セット２１の一面は板状であり、延伸して折れ曲がった他面は弾性状である。以上の構造により、絶縁ペースト体２を電子モジュール１にスライドして取り付けた時、絶縁ペースト金属導体セット２０が電子モジュール金属導体セット１０に接触して導通する。
【００１３】
収容ケース３には、電子モジュール１及び絶縁ペースト体２を収容するための収容空間３１が設けられ、収容ケース３の一側には、電子モジュール１及び絶縁ペースト体２の位置を固定する位置固定ケース３２が係合される。
【００１４】
また、携帯式電子機器は、さらに、収納ケース内に収納することができる。なお、前記収納ケースと前記携帯式電子機器の収納方式は、回転式収納、押し込み式収納、蓋開け式収納、引き抜き式収納、或いは、被覆式収納の内の一つである（図示せず）。
【００１５】
図２から図６を参照する。図２から図６は、本発明の実施例１の分解図（１）及び分解図（２）と、本発明の実施例１の動作を示した説明図（１）及び説明図（２）及び説明図（３）である。図から分かるように、使用者が、本発明の携帯式電子機器を使用したい時は、まずは、メモリカード４を収容溝２５内に差し込むと、メモリカード４の各接触金属導体が各第七金属導体セット２３と第八金属導体セット２４にそれぞれ接触する。それと同時に、使用者がメモリカード４を収容溝２５内への押し込み力に連動して、絶縁ペースト体２が電子モジュール１の一側へスライド移動する。この時、絶縁ペースト体２の第五金属導体セット２１及び第六金属導体セット２２及び第七金属導体セット２３及び第八金属導体セット２４は、第一金属導体セット１１及び第二金属導体セット１２及び第三金属導体セット１３及び第四金属導体セット１４に当接して摩擦が生じ、ひいては電気が導通する構造を形成する。その後、使用者が、携帯式電子機器の絶縁ペースト体２をＵＳＢメスコネクター５に差し込むと、携帯式電子機器とＵＳＢメスコネクター５との間で電気が導通する。なお、電子モジュール１は、リーダー、或いは、フラッシュメモリー、或いは、アダプター、或いは、無線伝送電子モジュール、或いは、その他のミニ電子モジュールにすることができる。
【００１６】
（実施例２）
図７と図８を参照する。図７と図８は、本発明の実施例２の分解図１及び分解図２である。図から分かるように、実施例２の携帯式電子機器は、主に、電子モジュール１ａと、電子モジュール１ａにスライドして設けられる少なくとも一つの絶縁ペースト体２ａとからなる。
【００１７】
電子モジュール１ａの一側には、電子モジュール金属導体セット１０ａが設けられ、電子モジュール金属導体セット１０ａは、第一金属導体セット１１ａと、第一金属導体セット１１ａの一側に配置された第二金属導体セット１２ａと、第二金属導体セット１２ａから見て第一金属導体セット１１ａの位置とは逆側に配置された第三金属導体セット１３ａと、からなる。
【００１８】
絶縁ペースト体２ａは、絶縁ペースト金属導体セット２０ａからなる。絶縁ペースト金属導体セット２０ａは、第一金属導体セット１１ａと一緒に作動する第五金属導体セット２１ａと、第五金属導体セット２１ａの一側に配置されるとともに第二金属導体セット１２ａと一緒に作動する弾性状の第六金属導体セット２２ａと、第六金属導体セット２２ａから見て第五金属導体セット２１ａの位置とは逆側に配置されるとともに第三金属導体セット１３ａと一緒に作動する弾性状の第七金属導体セット２３ａと、からなる。なお、第五金属導体セット２１ａの一面は板状であり、延伸して折れ曲がった他面は弾性状である。
【００１９】
また、携帯式電子機器は、さらに、収納ケース内に収納することができる。なお、前記収納ケースと前記携帯式電子機器の収納方式は、回転式収納、押し込み式収納、蓋開け式収納、引き抜き式収納、或いは、被覆式収納の内の一つである。
【００２０】
絶縁ペースト体２ａをスライドさせて電子モジュール１ａに取り付けたとき、第一金属導体セット１１ａは第五金属導体セット２１ａに対応して接触し、第二金属導体セット１２ａは第六金属導体セット２２ａに対応して接触し、第三金属導体セット１３ａは第七金属導体セット２３ａに対応して接触する。以上のように、組み立てて接触させることで、電気を導通させることができる。
【００２１】
（実施例３）
図９、図１０を参照する。図９と図１０は、本発明の実施例３の分解図１及び分解図２である。図から分かるように、実施例３の携帯式電子機器は、主に、電子モジュール１ｂと、電子モジュール１ｂにスライドして設けられる少なくとも一つの絶縁ペースト体２ｂとからなる。
【００２２】
電子モジュール１ｂの一側には、電子モジュール金属導体セット１０ｂが設けられ、電子モジュール金属導体セット１０ｂは、第一金属導体セット１１ｂと、第一金属導体セット１１ｂの一側に配置された第二金属導体セット１２ｂとからなる。
【００２３】
絶縁ペースト体２ｂには、絶縁ペースト金属導体セット２０ｂが設けられ、絶縁ペースト金属導体セット２０ｂは、第一金属導体セット１１ｂと一緒に作動する第五金属導体セット２１ｂと、第五金属導体セット２１ｂの一側に配置されるとともに、第二金属導体セット１２ｂと一緒に作動する弾性状の第六金属導体セット２２ｂと、からなる。第五金属導体セット２１ｂの一面は板状であり、延伸して折れ曲がった他面は弾性状である。
【００２４】
また、携帯式電子機器は、さらに、収納ケース内に収納することができる。なお、前記収納ケースと前記携帯式電子機器の収納方式は、回転式収納、押し込み式収納、蓋開け式収納、引き抜き式収納、或いは、被覆式収納の内の一つである。
【００２５】
絶縁ペースト体２ｂをスライドさせて電子モジュール１ｂに取り付けたとき、第一金属導体セット１１ｂは第五金属導体セット２１ｂに対応して接触し、第二金属導体セット１２ｂは第六金属導体セット２２ｂに対応して接触する。以上のように、組み立てて接触させることで、電気を導通させることができる。
【００２６】
（実施例４）
図１１と図１２を参照する。図１１と図１２は、本発明の実施例４の斜視図及び分解図である。図から分かるように、本発明の実施例４は、電子モジュール１ｃと、電子モジュール１ｃにスライドして設けられる絶縁ペースト体２ｃと、シールドケース６ｃとからなる。
【００２７】
電子モジュール１ｃの一側には、少なくとも一つの電子モジュール金属導体セット１０ｃが設けられる。
【００２８】
絶縁ペースト体２ｃには、少なくとも一つの絶縁ペースト金属導体セット２０ｃが設けられる。
【００２９】
シールドケース６ｃは、電子モジュール１ｃと絶縁ペースト体２ｃを被覆する。それにより、絶縁ペースト体２ｃをスライドさせて電子モジュール１ｃに取り付けた時、絶縁ペースト金属導体セット２０ｃが電子モジュール金属導体セット１０ｃに接触して導通する。
【００３０】
以上のことから分かるように、本発明は、上述の実施例で述べた収容ケースを合わせることができるだけでなく、シールドケース６ｃで被覆して位置を固定させることもできる。
【００３１】
本発明による携帯式電子機器において、従来の技術から改善されたポイントは以下の通りである。
【００３２】
１、本発明の携帯式電子機器は、絶縁ペースト体２をスライドさせて電子モジュール１に取り付けるスライド技術によって、電子モジュール１に配置された第一金属導体セット１１及び第二金属導体セット１２及び第三金属導体セット１３及び第四金属導体セット１４が、絶縁ペースト体２に配置された第五金属導体セット２１及び第六金属導体セット２２及び第七金属導体セット２３及び第八金属導体セット２４に直接接触して電気が導通するため、溶接をしなくても、組み立てるだけで正常に動作させることができる。
【００３３】
２、絶縁ペースト体２をスライドさせて電子モジュール１に取り付けるスライド技術により、電子モジュール１に配置された第一金属導体セット１１及び第二金属導体セット１２及び第三金属導体セット１３及び第四金属導体セット１４と、絶縁ペースト体２に配置された第五金属導体セット２１及び第六金属導体セット２２及び第七金属導体セット２３及び第八金属導体セット２４との間に摩擦が生じ、この摩擦の過程で各金属導体セットの酸化部分がこすれ落ち、正常な導通動作を行わせることができ、保存しておける時間を延ばすことができる。
【００３４】
３、絶縁ペースト体２をスライドさせて電子モジュール１に取り付けるスライド技術により、使用者がポケットの中に入れて携帯した時に、ポケット内の糸にひっかかることがない。
【００３５】
４、絶縁ペースト体２をスライドさせて電子モジュール１に取り付けるスライド技術により、従来の技術で生じていたはんだ付け不良による製品の不良が起こらないようにすることができる
【符号の説明】
【００３６】
１、１ａ、１ｂ、１ｃ          電子モジュール
１０、１０ａ、１０ｂ、１０ｃ  電子モジュール金属導体セット
１１、１１ａ、１１ｂ          第一金属導体セット
１２、１２ａ、１２ｂ          第二金属導体セット
１３、１３ａ                  第三金属導体セット
１４                          第四金属導体セット
２、２ａ、２ｂ、２ｃ          絶縁ペースト体
２０、２０ａ、２０ｂ、２０ｃ  絶縁ペースト金属導体セット
２１、２１ａ、２１ｂ          第五金属導体セット
２２、２２ａ、２２ｂ          第六金属導体セット
２３、２３ａ                  第七金属導体セット
２４                          第八金属導体セット
２５                          収容溝
３                            収容ケース
３１                          収容空間
３２                          位置固定ケース
４                            メモリーカード
５                            ＵＳＢメスコネクター  
６ｃ                          シールドケース
【図１】
0005525572.tif 000002
【図２】
0005525572.tif 000003
【図３】
0005525572.tif 000004
【図４】
0005525572.tif 000005
【図５】
0005525572.tif 000006
【図６】
0005525572.tif 000007
【図７】
0005525572.tif 000008
【図８】
0005525572.tif 000009
【図９】
0005525572.tif 000010
【図１０】
0005525572.tif 000011
【図１１】
0005525572.tif 000012
【図１２】
0005525572.tif 000013